(57)【要約】      （修正有）【課題】ヘアーアイロンのヒーター部に密着させることができるとともに着脱自在なカバー部材と、このようなカバー部材を備えたヘアーアイロンセットを提供する。【解決手段】ヘアーアイロンセット１０は、一対のヒーター部１１０−１、１１０−２と、把持することができ一対のヒーター部１１０−１、１１０−２の距離を変える把持部１２０と、を備えたヘアーアイロン１００と、ヘアーアイロン１００に装着されるカバー部材２００と、を備える。カバー部材２００は、ヒーター部１１０が挿入される挿入口２１０と、ヒーター部１１０を覆う筒状部２２０と、を備え、ヒーター部１１０に着脱自在であり、筒状部２２０がヒーター部１１０に装着された状態では、少なくとも挿入口２１０がヘアーアイロン１００に弾性力で密着することを特徴とする。【選択図】図４
0003204499.tif 000002
【実用新案登録請求の範囲】
【請求項１】
一対のヒーター部と、把持することができ前記一対のヒーター部の距離を変える把持部と、を備えたヘアーアイロンに装着されるカバー部材であって、
前記ヒーター部が挿入される挿入口と、
前記ヒーター部を覆う筒状部と、
を備え、
前記ヒーター部に着脱自在であり、前記筒状部が前記ヒーター部に装着された状態では、少なくとも前記挿入口が前記ヘアーアイロンに弾性力で密着することを特徴とする、カバー部材。
【請求項２】
前記挿入口は、前記筒状部よりも厚い素材で構成されることを特徴とする、請求項１に記載のカバー部材。
【請求項３】
前記挿入口は、前記筒状部の両端に設けられることを特徴とする、請求項１又は２に記載のカバー部材。
【請求項４】
一対のヒーター部と、把持することができ前記一対のヒーター部の距離を変える把持部と、を備えたヘアーアイロンと、
請求項１〜３のいずれかに記載のカバー部材と、
からなる、ヘアーアイロンセット。
【考案の詳細な説明】
【技術分野】
【０００１】
本考案は、ヘアーアイロンのカバー部材、及びヘアーアイロンとカバー部材との組み合わせであるヘアーアイロンセットに関する。
【背景技術】
【０００２】
一対のヒーター部を備えたタイプのヘアーアイロンにカバー部材を装着することが知られている。ヘアーアイロンに装着されるカバー部材としては、例えば、熱収縮チューブが用いられていた（例えば、特許文献１参照）。熱収縮チューブは、ヘアーアイロンのヒーター部に装着させて、ヒーター部の自熱で縮むものであり、密着性に優れる。新しいチューブに交換するときにはカッター等で切断することにより交換を行うことができる。
【先行技術文献】
【特許文献】
【０００３】
【特許文献１】特開２００３−３８２３６号公報
【考案の概要】
【考案が解決しようとする課題】
【０００４】
しかしながら、上記従来のヘアーアイロンでは、カバー部材が着脱自在でないため、交換時にカッターを用いるなど利便性が悪かった。一方、密着性の低いカバー部材であればこのような問題は生じないが、密着性の低いカバー部材を用いたヘアーアイロンでは、使用中に外れたり、液剤を併用する際にヒーター部に悪影響を与えたりするなど、カバー部材の本来の役割を十分に果たせない。
【０００５】
そこで本考案は、このような問題に鑑みてなされたものであり、その目的とするところは、ヘアーアイロンのヒーター部に密着させることができるとともに着脱自在なカバー部材と、このようなカバー部材を備えたヘアーアイロンセットを提供することにある。
【課題を解決するための手段】
【０００６】
上記課題を解決するために、本考案の第１の観点によれば、一対のヒーター部と、把持することができ前記一対のヒーター部の距離を変える把持部と、を備えたヘアーアイロンに装着されるカバー部材が提供される。本考案のカバー部材は、前記ヒーター部が挿入される挿入口と、前記ヒーター部を覆う筒状部と、を備える。そして、前記筒状部が前記ヒーター部に装着された状態では、少なくとも前記挿入口が前記ヘアーアイロンに弾性力で密着することを特徴とする。
【０００７】
かかる構成によれば、カバー部材がヘアーアイロンに弾性力で密着する。弾性力での密着のため、カバー部材はヒーター部に着脱自在である。このようにして、ヘアーアイロンに密着させることができるとともに着脱自在なカバー部材を提供することができる。なお、少なくとも前記挿入口が前記ヘアーアイロンに弾性力で密着するとは、挿入口のみが密着してもよく、挿入口と筒状部の全体が密着するような構成でもよい。
【０００８】
本考案は、さまざまな応用が可能である。例えば、前記挿入口は、前記筒状部よりも厚い素材（生地）で構成されるようにしてもよい。かかる構成によれば、挿入口の形状が保持されるようになるため、カバー部材にヒーター部の先端を挿入しやすい。
【０００９】
また、前記挿入口は、前記筒状部の両端に設けられるようにしてもよい。かかる構成によれば、カバー部材をヘアーアイロンに着脱しやすい。また、カバー部材内に空気が溜まることを防止できる。なお、挿入口を筒状部の両端に設けても、挿入口はヘアーアイロンに弾性力に密着することから、カバー部材の機能を害することはない。
【００１０】
上記課題を解決するために、本考案の第２の観点によれば、ヘアーアイロンとカバー部材との組み合わせからなるヘアーアイロンセットが提供される。すなわち、一対のヒーター部と、把持することができ前記一対のヒーター部の距離を変える把持部と、を備えたヘアーアイロンと、カバー部材とを備えた、ヘアーアイロンセットが提供される。ここで、カバー部材としては、上記本考案の第１の観点のカバー部材を採用することができる。
【００１１】
かかる構成によれば、上記優れた効果を有するカバー部材を備えたヘアーアイロンを提供することができる。
【００１２】
上記本考案の応用例は、任意に組み合わせることができる。
【考案の効果】
【００１３】
本考案によれば、ヘアーアイロンのヒーター部に密着させることができるとともに着脱自在なカバー部材と、このようなカバー部材を備えたヘアーアイロンセットを提供することができる。本考案のその他の効果については、以下の考案を実施するための形態の項でも説明する。
【図面の簡単な説明】
【００１４】
【図１】第１の実施形態にかかるヘアーアイロンセット１０の構成を概略的に示す図である。
【図２】ヘアーアイロン１００をヒーター部１１０の先端側から、カバー部材２００を挿入口２１０側からそれぞれ見た図である。
【図３】ヒーター部にカバー部材を装着する作業を説明するための図である。
【図４】一対のヒーター部の両方にカバー部材を装着した図である。
【図５】一対のヒーター部の片方にカバー部材を装着した図である。
【図６】第２の実施形態にかかるヘアーアイロンセット２０の構成を概略的に示す図である。
【考案を実施するための形態】
【００１５】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１６】
（第１の実施形態）
本考案の第１の実施形態について説明する。まず、図１、図２を参照しながら、本実施形態にかかるヘアーアイロンセット１０の構成について説明する。図１は、本実施形態にかかるヘアーアイロンセット１０の構成を概略的に示す斜視図である。図２は、ヘアーアイロン１００をヒーター部１１０の先端側から、カバー部材２００を挿入口２１０側からそれぞれ見た図である。
【００１７】
ヘアーアイロンセット１０は、図１に示したように、ヘアーアイロン１００と、カバー部材２００とからなる。以下、順に説明する。
【００１８】
（ヘアーアイロン１００）
ヘアーアイロン１００は、図１に示したように、一対のヒーター部１１０（１１０−１、１１０−２）と、把持することができ一対のヒーター部１１０−１、１１０−２の距離を変える一対の把持部１２０（１２０−１、１２０−２）と、を備える。
【００１９】
ヒーター部１１０は、図１に示したように、髪に触れる側である内側面が平らで、外側面が曲面になっている。ヒーター部１１０は先端部が細く、把持部１２０に近づくにつれて太くなっている。ヒーター部１１０の先端部の外周は４ｃｍ程度であり、後述するカバー部材２００が装着される領域の長さは１３ｃｍ程度であり、カバー部材２００が装着されたときの挿入口２１０の部分の外周は８ｃｍ程度である。
【００２０】
一対のヒーター部１１０−１、１１０−２は、加熱される一対の加熱板１１１（１１１−１、１１１−２）を備えている。一対の加熱板１１１−１、１１１−２は、図２に示したように、方形状の板状の形状をしており、加熱により熱くなる金属などからなる。一対の加熱板１１１−１、１１１−２は、一対のヒーター部１１０−１、１１０−２の互いに対向する面に設けられており、対向する方向に突出している。
【００２１】
把持部１２０は、ヘアーアイロン１００を使用する際に使用者が把持する部分である。使用者は、把持部１２０を把持することにより、一対のヒーター部１１０−１、１１０−２の距離を変えることができる。すなわち、使用者が把持部１２０を握っていない状態では、一対のヒーター部１１０−１、１１０−２は離間しており、使用者が把持部１２０を握ることにより、一対のヒーター部１１０−１、１１０−２が近接する。このようにして、ヘアーアイロン１００を用いて髪のセット等を行うことができる。
【００２２】
なお、本実施形態では、以下に説明するカバー部材２００に主な特徴があり、ヘアーアイロン１００自体は汎用的なものであってもよいため、これ以上の詳細な説明を割愛する。
【００２３】
（カバー部材２００）
カバー部材２００は、ヒーター部１１０に装着されるものであり、ヒーター部１１０から髪への熱伝導の調整や、ヒーター部１１０への水や液剤等の影響を防いだりするものである。カバー部材２００は、図１に示したように、ヒーター部１１０が挿入される挿入口２１０と、ヒーター部１１０を覆う筒状部２２０と、を備える。
【００２４】
カバー部材２００は、弾力性及び耐熱性を持つ素材、例えばフッ素ゴムやシリコーンゴム等で構成される。カバー部材２００の厚みは０．３ｍｍ程度である。また、カバー部材２００の表面はセラミック塗装が施されており、髪の毛が引っ掛からないようになっている。さらに、カバー部材２００はヘアーアイロン１００に取り付けられた状態のまま汚れを水で洗い流すことができる。カバー部材２００は、以下に説明するように、ヘアーアイロン１００に着脱自在である。
【００２５】
以下、カバー部材２００の各構成要素について順に説明する。
【００２６】
（挿入口２１０）
挿入口２１０は、外周（径の大きさ）がヒーター部１１０の外周（径の大きさ）とほぼ同じか若干小さめである。例えば、挿入口２１０の外周は７ｃｍ程度である。挿入口２１０は径方向に伸縮自在であり、少なくとも上述したヒーター部１１０の太い側の外周８ｃｍまで伸びることができる。
【００２７】
挿入口２１０は、後述する筒状部２２０よりも厚く構成されており、図２に示したように、楕円の形状が保持されるようになっている。このように挿入口２１０の生地が厚く、楕円の形状が保持されるようになっているため、ヒーター部１１０の先端に挿入しやすい。なお、本実施形態では、カバー部材２００の挿入口２１０と反対側の端部は閉じている。
【００２８】
上述したように、一対のヒーター部１１０−１、１１０−２は、先端が細く（外周４ｃｍ程度）、把持部１２０の側に近づくにつれて太くなっている（外周８ｃｍ程度）。このため、挿入口２１０（外周７ｃｍ程度）は、ヒーター部１１０に装着される過程において、ヒーター部１１０の外周の形状に沿って弾性変形する。そして、ヒーター部１１０を覆った状態では、ヘアーアイロン１００に弾性力で密着する。
【００２９】
（筒状部２２０）
筒状部２２０は、ヒーター部１１０を覆う長さであり、１３ｃｍ程度に構成される。筒状部２２０は、外周（径の大きさ）がヒーター部１１０の外周（径の大きさ）とほぼ同じか若干小さめであり、径方向に伸縮自在である。筒状部２２０の外周をヒーター部１１０の外周の大きさとほぼ同じか若干小さめにしたことにより、挿入口２１０の密着性と相まって、カバー部材２００のヒーター部１１０への密着性が高まる。
【００３０】
なお、筒状部２２０の外周（径の大きさ）はある程度の自由度を有する。すなわち、筒状部２２０は、上述した挿入口２１０と比べてヒーター部１１０への密着性は低くてもよい。このため、例えば筒状部２２０の外周（径の大きさ）を若干大きめにすることで、カバー部材２００のヒーター部１１０への着脱を容易にすることもできる。
【００３１】
以上、本実施形態のヘアーアイロンセット１０の構成について説明した。次に、ヘアーアイロンセット１０のヒーター部１１０にカバー部材２００を装着する動作について、図３〜図５を参照しながら説明する。
【００３２】
ヒーター部１１０にカバー部材２００を取り付けるときには、図３に示したように、カバー部材２００の挿入口２１０から筒状部２２０内にヒーター部１１０の先端を挿入する。挿入口２１０の大きさはヒーター部１１０の先端よりも若干大きく、また挿入口２１０が厚いため、ヒーター部１１０の先端は挿入口２１０に容易に挿入される。
【００３３】
挿入口２１０はヒーター部１１０の先端以外はヒーター部１１０よりも小さいが、挿入口２１０を把持部１２０方向に引っ張ることによって、カバー部材２００が弾性変形しながら把持部１２０方向に移動していく。よって、図４に示したように、筒状部２２０でヒーター部１１０が覆われる。なお、カバー部材２００は、図４に示したように、一対のヒーター部１１０−１、１１０−２の両方に装着してもよく、また、図５に示したように、片方に装着してもよい。
【００３４】
（第１の実施形態の効果）
以上説明したように、本実施形態のヘアーアイロンセット１０によれば、カバー部材２００がヘアーアイロン１００に弾性力で密着する。弾性力での密着のため、カバー部材２００はヒーター部１１０に着脱自在である。このようにして、ヘアーアイロン１００に密着させることができるとともに着脱自在なカバー部材２００を提供することができる。
【００３５】
また、カバー部材２００の挿入口２１０は、筒状部２２０よりも厚い素材（生地）で構成されるようにしたため、挿入口２１０の形状が保持されるようになり、カバー部材２００にヒーター部１１０の先端を挿入しやすい。
【００３６】
（第２の実施形態）
本考案の第２の実施形態について、図６を参照しながら説明する。図６は、本実施形態にかかるヘアーアイロンセット２０の構成を概略的に示す図である。本実施形態のヘアーアイロンセット２０は、カバー部材４００の構成が第１の実施形態と相違するものである。
【００３７】
本実施形態では、上記第１の実施形態と異なる点を中心に説明する。以下の説明において、ヘアーアイロン３００、ヒーター部３１０、３１０−１、３１０−２、加熱板３１１、３１１−１、３１１−２、把持部３２０、３２０−１、３２０−２について、上記第１の実施形態のヘアーアイロン１００、ヒーター部１１０、１１０−１、１１０−２、加熱板１１１、１１１−１、１１１−２、把持部１２０、１２０−１、１２０−２と同様の点については、重複説明を省略する。
【００３８】
カバー部材４００は、挿入口４１０が筒状部４２０の両端部に設けられており、どちらの挿入口４１０からも、筒状部４２０内にヒーター部３１０を挿入することができる。その他のカバー部材４００の構成は、上記第１の実施形態のカバー部材２００と実質的に同様である。
【００３９】
カバー部材４００をヒーター部３１０に装着する際には、一方の挿入口４１０からヒーター部３１０の先端を挿入する。ヒーター部３１０がカバー部材４００に挿入されていくときに、カバー部材４００はヒーター部３１０の形状に応じて弾性変形していく。このとき、ヒーター部３１０の挿入方向の前方にある他方の挿入口４１０からカバー部材４００内の空気が外部に押し出されるため、ヒーター部３１０は、カバー部材４００内に空気の抵抗を受けずに円滑に挿入される。
【００４０】
（第２の実施形態の効果）
以上説明したように、本実施形態のヘアーアイロンセット２０によれば、上記第１の実施形態の効果に加えて、挿入口４１０が筒状部４２０の両端に設けられるため、カバー部材４００をヘアーアイロン３００に着脱しやすい。また、カバー部材４００内に空気が溜まることを防止できる。なお、カバー部材４００の両端がヘアーアイロン３００に弾性密着することから、挿入口４１０を筒状部４２０の両端に設けても、カバー部材４００の機能を害することはない。
【００４１】
以上、添付図面を参照しながら本考案の好適な実施形態について説明したが、本考案はかかる例に限定されないことは言うまでもない。当業者であれば、実用新案登録請求の範囲に記載された範疇内において、各種の変更例又は修正例に想到し得ることは明らかであり、それらについても当然に本考案の技術的範囲に属するものと了解される。
【００４２】
例えば、上記実施形態では、カバー部材２００、４００を一対のヒーター部１１０−１、１１０−２、３１０−１、３１０−２の両方に設けたが、本考案はこの例に限定されない。例えば、カバー部材２００、４００を一対のヒーター部１１０−１、１１０−２、３１０−１、３１０−２のうちの片方にだけに設けてもよい。
【００４３】
また、上記実施形態では、カバー部材２００、４００がヒーター部１１０、３１０に装着された状態ではヒーター部１１０、３１０の外周の形状に沿って弾性変形してヘアーアイロン１００、３００に弾性力で密着する構成としたが、本考案はこの例に限定されない。例えば、カバー部材２００、４００がヘアーアイロン１００、３００に弾性力で密着する部分は、最低でも挿入口２１０、４１０が密着していれば、カバー部材２００、４００の一部でもよい。
【００４４】
また、上記実施形態では、カバー部２００、４００の挿入口２１０、４１０の厚みを筒状部２２０、４２０の厚みよりも厚くしたが、本考案はこの例に限定されない。例えば、挿入口２１０、４１０の厚みを筒状部２２０、４２０の厚みと同じにしてもよく、また薄くしてもよい。
【００４５】
また、上記実施形態では、カバー部材２００、４００の表面にセラミック塗装を施したが、本考案はこの例に限定されない。カバー部材２００、４００の表面にセラミック塗装以外の塗装を施してもよく、あるいは、カバー部材２００、４００の表面に塗装を施さなくてもよい。
【産業上の利用可能性】
【００４６】
本考案は、ヘアーアイロンのカバー部材、及びヘアーアイロンとカバー部材との組み合わせであるヘアーアイロンセットとして利用可能である。
【符号の説明】
【００４７】
１０、２０    ヘアーアイロンセット
１００、３００  ヘアーアイロン
１１０、１１０−１、１１０−２、３１０、３１０−１、３１０−２  ヒーター部
１１１、１１１−１、１１１−２、３１１、３１１−１、３１１−２  加熱板
１２０、１２０−１、１２０−２、３２０、３２０−１、３２０−２  把持部
２００、４００  カバー部材
２１０、４１０  挿入口
２２０、４２０  筒状部
【図１】
0003204499.tif 000003
【図２】
0003204499.tif 000004
【図３】
0003204499.tif 000005
【図４】
0003204499.tif 000006
【図５】
0003204499.tif 000007
【図６】
0003204499.tif 000008